(57)【特許請求の範囲】
【請求項１】
中心部に線材を円形状に巻いた巻回部を有し二叉状に脚を一対形成したばねと、このばねの脚が開き勝手の弾性力で係合する係合部を設けた換気扇本体と、この換気扇本体の下方を覆う形状で前記ばねの巻回部が取り付けられるばね取付部を設けたルーバーとを備え、前記ばね取付部に、前記ばねの巻回部の円形状の一部と同形状の円弧状の挿入溝を垂直方向に設け、前記挿入溝と連通して前記挿入溝を通り挿入された前記巻回部の方向を前記ばねを起立状態にした方向に変換できる水平状に設けられた方向変換溝を形成したことを特徴とする天井埋込形換気扇。
【請求項２】
ばねの巻回部近傍の一対の脚をほぼ直線状に形成した請求項１記載の天井埋込形換気扇。
【発明の詳細な説明】
【０００１】
【発明の属する技術分野】
本発明は、天井に設置される換気扇本体の下方を覆うようルーバーが設けられる天井埋込形換気扇に関する。
【０００２】
【従来の技術】
近年、天井の空間を利用して設置される天井埋込形換気扇の普及に伴ない換気扇本体の下方に設けられるルーバーがばねを介して取り付けられるときのばねの取付作業が容易な天井埋込形換気扇の要求が高まってきている。
【０００３】
従来、この種の天井埋込形換気扇の一例として実公昭６３−４５６３４号公報に記載されたものが知られていた。以下、その構成について図５〜図７を参照しながら説明する。
【０００４】
図に示すように、天井１０１に埋込まれる換気扇本体１０２に設けられた保持部１０３と、この保持部１０３に係止される係止部１０４およびリング部１０５を有するばね１０６と、上記リング部１０５を挿入するようにグリル１０７に設けられたばね支持片１０８と、このばね支持片１０８の上記リング部１０５に対応する部分に設けられたほぼ半円状の取付穴１０９と、一端にストッパー１１０を有し、かつ上記取付穴１０９およびリング部１０５に挿入される他端にストッパー形成用のかしめ部１１１を有する断面ほぼＵ字状の折り曲げ片１１２からなる取付部材１１３とを備え、ばね１０６のリング部１０５をばね支持片１０８間に挿入し、取付部材１１３をかしめ部１１１側から取付穴１０９およびリング部１０５に挿入したのちかしめ部１１１をかしめてストッパー１１０を形成し、ばね１０６をグリル１０７に取り付けていた。
【０００５】
【発明が解決しようとする課題】
このような従来の天井埋込形換気扇では、グリル１０７に設けたばね支持片１０８間にばね１０６を取り付けるのに、取付部材１１３を別個に必要とするとともに、ばね１０６に設けたリング部１０５をばね支持片１０８に設けた取付穴１０９に合致させ、取付部材１１３を取付穴１０９に挿入したのち、かしめ部１１１を折り曲げかしめなければならないので取付作業に手間がかかるというものであった。
【０００６】
本発明は上記課題を解決するもので、ばねの取付けに取付部材等の別部材を用いる必要をなくするとともに、取付けの作業性の向上を図ることができる天井埋込形換気扇を提供することを目的とする。
【０００７】
【課題を解決するための手段】
本発明の天井埋込形換気扇においては、中心部に線材を円形状に巻いた巻回部を有し、二叉状に脚を一対形成したばねと、このばねの脚が開き勝手の弾性力で係合する係合部を設けた換気扇本体と、この換気扇本体の下方を覆う形状で前記ばねの巻回部が取り付けられるばね取付部を設けたルーバーとを備え、前記ばね取付部に前記ばねの巻回部の円形状の一部と同形状の円弧状の挿入溝を垂直方向に設け、前記挿入溝と連通して前記挿入溝を通り挿入された前記巻回部の方向を前記ばねを起立状態にした方向に変換できる水平状に設けられた方向変換溝を形成したものである。
【０００８】
この発明によれば、ばねの取付けに取付部材等の別部材を用いる必要をなくするとともに、取付けの作業性の向上を図ることができる天井埋込形換気扇を提供することができる。
【０００９】
【発明の実施の形態】
本発明の請求項１に記載の発明は、中心部に線材を円形状に巻いた巻回部を有し、二叉状に脚を一対形成したばねと、このばねの脚が開き勝手の弾性力で係合する係合部を設けた換気扇本体と、この換気扇本体の下方を覆う形状で前記ばねの巻回部が取り付けられるばね取付部を設けたルーバーとを備え、前記ばね取付部に前記ばねの巻回部の円形状の一部と同形状の円弧状の挿入溝を垂直方向に設け、前記挿入溝と連通して前記挿入溝を通り挿入された前記巻回部の方向を前記ばねを起立状態にした方向に変換できる水平状に設けられた方向変換溝を形成したものであり、ばねは、ばねに設けた巻回部を円弧状の挿入溝より挿入し方向変換溝により巻回部の方向を変換することにより取り付けられることとなり、ばねの取付けに取付部材等の別部材を用いる必要をなくするとともに、取付けの作業性の向上を図ることができるという作用を有する。
【００１０】
以下、本発明の実施の形態について、図１〜図４を参照しながら説明する。
【００１１】
（実施の形態１）
図に示すように、中心部に線材を複数回円形状に巻いた巻回部１ａを有し、二叉状に脚１ｂを一対直線状に形成し、先端には係止部１ｃを設けてばね１を形成し、ばね１の脚１ｂが開き勝手の弾性力で係合する係合部２を換気扇本体３に設け、換気扇本体３の下方を覆う形状のルーバー４には、ばね１の巻回部１ａの円形状の一部と同形状の円弧状の挿入溝５を垂直方向に設け、挿入溝５と連通して挿入溝５を通り挿入された巻回部１ａの方向を変換できる水平状に設けられた方向変換溝６を形成したばね取付部７を設け構成する。
【００１２】
上記構成において、ばね１をルーバー４に取り付けるときには、ばね１をルーバー４の面に沿うように寝かせ、ばね１に直線状に設けられた一対の脚１ｂを山形状となるように折り曲げ、ばね取付部７の挿入溝５の円弧状に対応するように巻回部１ａの頂点部分を円弧状に形成した状態で、巻回部１ａを挿入溝５に挿入し、方向変換溝６に挿入された時点で、脚１ｂを山形状に形成した外力を解除し、ばね１の方向を９０°変換させ、ばね１を起立した状態にしてルーバー４に取り付け、ルーバー４を換気扇本体３に取り付けるときに、ばね１の一対の脚１ｂをせばめて換気扇本体３に設けた係合部２に脚１ｂの開き勝手の弾性力で係合してルーバー４を換気扇本体３に取り付ける。
【００１３】
このように本発明の実施の形態１の天井埋込形換気扇によれば、中心部に巻回部１ａを二叉状の脚１ｂを一対形成したばね１を、ばね１の巻回部１ａが挿入される挿入溝５と挿入溝５と連通し巻回部１ａの方向を変換する方向変換溝６を形成したばね取付部７をルーバー４に設けたので、ばね１をルーバー４のばね取付部７にばね１自体で取り付けることができ、取付部材等の別部材を用いる必要がなくなるとともに、別部材を用いないので取付けの作業性の向上を図ることができる。
【００１４】
また、ばね１の巻回部１ａ近傍の一対の脚１ｂを直線状に形成したので、ばね１の巻回部１ａがばね取付部７の方向変換溝６に配設された状態では、ばね取付部７に設けた円弧状の挿入溝５に対し、ばね１の巻回部１ａの形状が異なることによりばね１がばね取付部７より脱落することがなくなり、ばね１の紛失が防止されるとともに、ばね１を取り付けたルーバー４の取扱性が向上することとなる。
【００１５】
【発明の効果】
以上の実施の形態から明らかなように、本発明によれば中心部に線材を円形状に巻いた巻回部を有し、二叉状に脚を一対形成したばねと、このばねの脚が開き勝手の弾性力で係合する係合部を設けた換気扇本体と、この換気扇本体の下方を覆う形状で前記ばねの巻回部が取り付けられるばね取付部を設けたルーバーとを備え、前記ばね取付部に、前記ばねの巻回部の円形状の一部と同形状の円弧状の挿入溝を垂直方向に設け、前記挿入溝と連通して前記挿入溝を通り挿入された前記巻回部の方向を前記ばねを起立状態にした方向に変換できる水平状に設けられた方向変換溝を形成したので、ばねの取付けに取付部材等の別部材を用いる必要をなくするとともに、取付けの作業性の向上を図ることのできる天井埋込形換気扇を提供することができる。
【００１６】
また、ばねの巻回部近傍の一対の脚をほぼ直線状に形成したので、ばねの脱落がなくなり、ばねの紛失が防止され、ルーバーの取扱性が向上する。
【図面の簡単な説明】
【図１】本発明の実施の形態１の天井埋込形換気扇のルーバーとばねの関係を示す斜視図
【図２】同天井埋込形換気扇のばね取付部の構成を示す斜視図
【図３】同天井埋込形換気扇のばねをばね取付部に取付時の状態を示す斜視図
【図４】同天井埋込形換気扇の構成を示す断面図
【図５】従来の天井埋込形換気扇のばねとグリルの関係を示す斜視図
【図６】同天井埋込形換気扇の取付部材の構成を示す斜視図
【図７】同天井埋込形換気扇の構成を示す断面図
【符号の説明】
１    ばね
１ａ  巻回部
１ｂ  脚
２    係合部
３    換気扇本体
４    ルーバー
５    挿入溝
６    方向変換溝
７    ばね取付部
【図１】
0003730046.tif 000002
【図２】
0003730046.tif 000003
【図３】
0003730046.tif 000004
【図４】
0003730046.tif 000005
【図５】
0003730046.tif 000006
【図６】
0003730046.tif 000007
【図７】
0003730046.tif 000008